(57)【特許請求の範囲】
【請求項１】
矩形容器状に形成した液体不透過性シートからなるカバー材と、該カバー材の底部に設けられ、かつファスナーを装着した仕切り材とにより形成された収容部に、軟質ポリウレタンフォームが着脱自在に収容されており、カバー材の開口端部に開口縮径用のストラップ体が装着されている除圧マットレスカバー。
【請求項２】
前記仕切り材には、軟質ポリウレタンフォームの前記収容部への収容を容易にするための空隙部が設けられている請求項１に記載の除圧マットレスカバー。
【請求項３】
前記液体不透過性シートが、布帛に樹脂フィルムが積層された積層シートである請求項１または２に記載の除圧マットレスカバー。
【発明の詳細な説明】
【０００１】
【発明の属する技術分野】
本発明は、ベッド、特に病院や養護老人ホーム等において使用されるベッドのマットに装着被覆して使用者の体にかかる圧力を分散することができる除圧マットレスカバーに関する。
【０００２】
【従来の技術】
病院や養護老人ホーム等において使用されているベッドのマットとしては、周知のように従来から、金属製のベッドの骨格材料の上にいわゆる硬綿を使用したマットが敷設使用されている。
【０００３】
ところが、かかる硬綿を使用したマットでは、部分的に体圧が高くて寝心地が悪く、人が長期に寝た状態で使用する場合には褥瘡を起こす原因となるため、体圧分散性の高いマットが求められる。
【０００４】
かかる体圧分散性の高いマットとしては軟質ポリウレタンフォームマットレスが周知であるが、硬綿マットをかかる軟質ポリウレタンフォームマットレスに代えて使用すると、マット全体の剛性が低くなりすぎてベッドの骨格材料の固さがそのまま使用者に伝わってしまう。
【０００５】
このような問題を解決する方法として、剛性が高くてクッション性を有する材料層と軟質ポリウレタンフォーム層の少なくとも２層構造のマットの使用と、従来の硬綿マットの上に軟質ポリウレタンフォームマットレスを敷く方法が実用化されている。
【０００６】
【発明が解決しようとする課題】
しかし、剛性が高くてクッション性を有する材料層と軟質ポリウレタンフォーム層の少なくとも２層構造のマットは、それ自体高価であることに加えて、かかるマットの使用には、これまで使用されていた硬綿マットを全面的に新しい構成のマットに交換する必要があり、医療費や介護費用の抑制が求められている現在において、従来の病院や養護老人ホームにおいて経済的負担が大きすぎる上、廃棄物が大量に発生するという問題がある。
【０００７】
これに対して従来の硬綿マットの上に軟質ポリウレタンフォームマットレスを敷く方法によれば、高価な多層構造のマットに交換する場合と比較して費用的には安価であるが、使用中に硬綿マットと軟質ポリウレタンフォームマットレスの間でズレが生じるという問題や、全体を覆うシーツの交換に際して下側の硬綿マットを覆うように被覆する手作業が必要となるという問題を有する。
【０００８】
本発明の目的は、従来の硬綿マットに簡単に装着被覆ができ、硬綿マットとポリウレタンフォームマットレス間にズレが生じない除圧マットレスカバーを提供することにある。
【０００９】
【課題を解決するための手段】
本発明の除圧マットレスカバーは、矩形容器状に形成した液体不透過性シートからなるカバー材と、該カバー材の底部に設けられ、かつファスナーを装着した仕切り材とにより形成された収容部に、軟質ポリウレタンフォームが着脱自在に収容されており、カバー材の開口端部に開口縮径用のストラップ体が装着されていることを特徴とする。
【００１０】
係る構成の除圧マットレスカバーは、開口部が従来の硬綿マットを収容可能な大きさに形成して硬綿マットを収容し、ストラップ体により開口を縮径して固定することにより、硬綿マットに簡単に装着被覆ができ、しかも使用中に硬綿マットとポリウレタンフォームマットレス間にズレが生じない除圧マットレスカバーである。
【００１１】
上述の除圧マットレスカバーにおいては、前記カバー材の底部に仕切り材により形成された収容部が設けられている。前記仕切り材にはファスナーが装着されており、前記ファスナーを装着することにより、前記軟質ポリウレタンフォームが着脱自在に収容されていることが好ましい。前記仕切り材には、軟質ポリウレタンフォームの前記収容部への収容を容易にするための空隙部が設けられていることが好ましい。
【００１２】
係る構成により、液体不透過性シートが血液などにより汚染された場合に、軟質ポリウレタンフォームを取り外してシーツ全体を洗濯してクリーニングすることができるという効果が得られる。
【００１３】
上述の除圧マットレスカバーにおいては、前記軟質ポリウレタンフォームが、低反発軟質ポリウレタンフォームであることが好ましい。
【００１４】
一般にクッション材として使用される軟質ポリウレタンフォームは、硬綿と比較すると体圧分散性が高いものであるが、低反発軟質ポリウレタンフォームを使用することにより、特に体圧分散性が高く、褥瘡防止効果の高い除圧マットレスカバーが得られる。
【００１５】
低反発軟質ポリウレタンフォームは、２５％硬さ（ＪＩＳ  Ｋ  ６４００）が１０〜１２０Ｎであることが好ましい。係る硬度の低反発軟質ポリウレタンフォームを使用すると、人が寝た状態で、体圧がどの接触部においても褥瘡を生じないとされる３２ｍｍＨｇを超えることがない。
【００１６】
前記軟質ポリウレタンフォームが、高反発軟質ポリウレタンフォームであることも好ましい態様である。
【００１７】
高反発軟質ポリウレタンフォームは、ラバーライクな感触を有し、比較的体重が重い人が使用した場合に、フォームの厚さを厚くすることなく適度のクッション性と体圧分散性を有する除圧マットレスカバーが得られる。
【００１８】
前記軟質ポリウレタンフォームが、低硬度軟質ポリウレタンフォームであることも好ましい態様である。
【００１９】
低硬度軟質ポリウレタンフォームは、ソフトタッチの感触を有し、体重の軽い人が使用した場合に、適度のクッション性と体圧分散性を有する除圧マットレスカバーが得られる。
【００２０】
上記の高反発軟質ポリウレタンフォームは２５％硬さが２０〜１５０Ｎで、反発弾性率が４０〜７０％であることが好ましい。また低硬度軟質ポリウレタンフォームは、硬度が１０〜８０Ｎであることが好ましい。
【００２１】
本発明の除圧マットレスカバーに使用する軟質ポリウレタンフォームは、上述の低反発軟質ポリウレタンフォーム、高反発軟質ポリウレタンフォーム、低硬度軟質ポリウレタンフォームを、組み合わせて使用することも好ましい態様である。
【００２２】
また上述の除圧マットレスカバーにおいては、前記液体不透過性シートが、布帛に樹脂フィルムが積層された積層シートであることが好ましい。
【００２３】
係る液体不透過性シートは、人体に接触した感触がよく、しかも血液等の体液が軟質ポリウレタンフォームに浸透することがなく、衛生的な除圧マットレスカバーを形成することができる。
【００２４】
【発明の実施の形態】
本発明の除圧マットレスカバーを構成する軟質ポリウレタンフォームとしては、体圧分散性を有するものであれば、一般的にクッション材として使用される軟質ポリウレタンフォームが特に限定なく使用可能である。
【００２５】
褥瘡防止効果の高い除圧マットレスカバーを得るためには、低反発弾性軟質ポリウレタンフォームを使用する。
【００２６】
低反発軟質ポリウレタンフォームは、例えば下記のポリオール化合物を含有するポリオール組成物とポリイソシアネート化合物を混合して発泡原液組成物とし、これを発泡・硬化させることにより形成される。
【００２７】
低反発軟質ポリウレタンフォームを形成するポリオール化合物、好ましくはポリオキシプロピレンポリオールとしては、平均官能基数２〜４、水酸基価３０〜６０ｍｇＫＯＨ／ｇのポリオール（ａ）と、平均官能基数２〜４、水酸基価２００〜２７０ｍｇＫＯＨ／ｇのポリオール（ｂ）とを含有している構成が例示される。  ポリオール（ａ）と、ポリオール（ｂ）とを含有させることにより、０℃以上の温度範囲にガラス転移点を有するポリウレタンフォームとなり、反発弾性率が２０％以下の低反発軟質ポリウレタンフォームとなる。低反発軟質ポリウレタンフォームは、０℃以上の温度範囲と−２０℃以下の温度範囲とのそれぞれにガラス転移点を有するものであることが安定して低反発性能層を発揮するフォームが得られ、より好ましい。かかる低反発軟質ポリウレタンフォームは、特開平１１−２８６５６６号公報等において公知である。
【００２８】
高反発弾性軟質ポリウレタンフォームは、一般に、ポリエーテルポリオール中にポリスチレンやポリアクリロニトリルの微粒子を分散させたいわゆるポリマーポリオールをポリオール化合物の成分として使用することにより、得られる。
【００２９】
ポリオール組成物には、ポリオール化合物に加えて、触媒、発泡剤、架橋剤等が含有される。
【００３０】
ポリイソシアネート化合物としては、軟質ポリウレタンフォームの分野において公知のポリイソシアネート化合物が限定なく使用可能である。
【００３１】
かかる高反発（高反発弾性）軟質ポリウレタンフォーム、低硬度軟質ポリウレタンフォーム等の軟質ポリウレタンフォームは、「ポリウレタン樹脂ハンドブック」（岩田敬治著、日刊工業新聞社）において周知であり、また市販品もあり、使用可能である。
【００３２】
カバー材を構成する液体不透過性シートを構成する布帛としては、綿や麻等の天然繊維、ポリエステルやナイロン等の合成繊維等、一般的な繊維にて形成された織布、不織布を使用する。人体の感触や吸水性の観点より、綿ないしポリエステルの使用がより好ましい。
【００３３】
また不透過性シートを構成する樹脂フィルムとしては、比較的可とう性の高い樹脂、例えばエチレン−酢酸ビニル共重合体、ポリウレタンエラストマー、ポリアミドエラストマー、ポリエステルエラストマー、ポリエチレン、ポリプロピレン等のポリオレフィン等が例示される。
【００３４】
布帛と樹脂フィルムは、公知の方法にて積層される。積層方法としては、例えば接着剤を使用したラミネート法、熱融着法、樹脂フィルムの押し出しと同時に布帛を供給する押し出しラミネート法が例示される。
【００３５】
液体不透過性シートを構成する材料には、抗菌性ないし殺菌性成分が添加されていることが好ましい。液体不透過性シートは、布帛を人体に接触する側として使用する。
【００３６】
本発明の実施の形態を図面に基づいて説明する。
図１は、本発明の除圧マットレスカバーを裏面から見た斜視図であり、図２は図１におけるＸ−Ｘ断面図である。この除圧マットレスカバー１は、軟質ポリウレタンフォームを収容する収容部を有する例である。この例においては、カバー材３は矩形の容器状に形成されており、底部（実際の使用時にはこの底部が上になる。）には、軟質ポリウレタンフォーム７を収容した収容部が形成されている。収容部はカバー材３と仕切り材９により形成されており、仕切り材９にはファスナー１１が装着されており、このファスナー１１を開口することにより、軟質ポリウレタンフォーム７が着脱自在に構成されている。「矩形」は、角部が円弧状に形成されていてもよい。
【００３７】
収容部を形成する仕切り材９には、軟質ポリウレタンフォーム７の該収容部への収容を容易にするために手を入れる空隙部を設けることは好ましい態様である。図１に該空隙部ｋの例を示した。この空隙部ｋは、４隅に設けること好ましい態様である。
【００３８】
軟質ポリウレタンフォーム７の厚さは、必要なクッション性が得られる限り特に限定されない。薄すぎると体圧分散効果が十分に得られないが、厚すぎると無駄な部分が発生する。一般には軟質ポリウレタンフォーム７の厚さは１０〜８０ｍｍであり、２０〜６０ｍｍであることがより好ましい。
【００３９】
仕切り材９の材料は、カバー材３と同じ液体不透過性シートであってもよいが、血液等の体液が接触することがないので、単なる織布であることが製品コスト上好ましい。
【００４０】
矩形容器状に形成されたカバー材３の開口端部６には、開口縮径用のストラップ体５が装着されており、図１、２のいずれにおいても開口が縮径された状態が示されている。ストラップ体５としては、ゴム紐、細いロープ状紐等が使用可能である。ストラップ体５は、開口全周にわたって装着されている必要はなく、硬綿マットに被せた後にストラップ体５により開口を縮径することにより除圧マットレスカバーが位置ずれしなければ、部分的に設けられていてもよい。
【００４１】
またストラップ体５の装着方法も限定されるものではなく、図２においては、カバー材３の開口端部を折り返して管路を形成し、この管路内にストラップ体５を挿通した例が示されているが、これに限定されるものではなく、例えばゴム紐を伸ばした状態でホットメルト接着剤を使用してカバー材３の開口端部６に沿って接着する方法であってもよい。
【００４２】
カバー材３は、公知の方法にて形成することができる。例えば平坦なシート状の原反を長方形に切り抜き、四隅を切り欠き、切欠き部を接合して図１のａ部を形成することにより製造することができる。
【００４３】
図３に示した除圧マットレスカバー２１は、カバー材３に収容部を形成せず、軟質ポリウレタンフォーム７を接着剤層１６によりカバー材３に接着した構成を有する例である。
【００４４】
係る構成の除圧マットレスカバー２１は、ギャッジ時にしわが発生しないという利点を有する。この構成の除圧マットレスカバーでは、カバー材３のクリーニングは、汚染部分を拭き取る方法により行われる。
【図面の簡単な説明】
【図１】除圧マットレスカバーを裏面を上にして例示した斜視図
【図２】軟質ポリウレタンフォームが矩形容器状のカバー材の底部（図では上側）に形成された収容部に収容された除圧マットレスカバーの構成例を示した断面図
【図３】軟質ポリウレタンフォームが矩形容器状のカバー材の底部に接着して収容された除圧マットレスカバーの構成例を示した断面図
【符号の説明】
１      除圧マットレスカバー
３      カバー材
５      ストラップ体
６      開口端部
７      軟質ポリウレタンフォーム
【図１】
0003569517.tif 000002
【図２】
0003569517.tif 000003
【図３】
0003569517.tif 000004